(57)【要約】【課題】  幼保向けの描画材は、構成が簡素でトータルコストを安く抑えることも必要である。そこで、箱体と蓋体が容易に開放しない為の固定方法として、輪ゴムなどの伸縮性を有する帯を、嵌入した箱体と蓋体に巻いて、固定する方法が考えられた。  しかし、収納容器に帯を巻いてしまうと、収納容器の表面に帯の厚さ分の出っ張りが発生し、積層したときの収納容器の安定性が低く、運搬や店頭で陳列時に積層した収納容器が、容易に崩れてしまっていた。【解決手段】  箱体とその箱体を覆う蓋体とからなる収納容器であって、前記箱体の底部に蓋体に券回する弾性紐を取り付けると共に、その弾性紐が通過する切欠き部を前記箱体の側壁部に形成し、その切り欠き部の深さを弾性紐の太さよりも大きくした収納容器。【選択図】  図１０
2016060518.tif 000002
【特許請求の範囲】
【請求項１】
箱体とその箱体を覆う蓋体とからなる収納容器であって、前記箱体の底部に蓋体に券回する弾性紐を取り付けると共に、その弾性紐が通過する切欠き部を前記箱体の側壁部に形成し、その切り欠き部の深さを弾性紐の太さよりも大きくした収納容器。
【請求項２】
前記蓋体の天面に箱体の側壁部が嵌まり込む凹部を形成した請求項１記載の収納容器。
【発明の詳細な説明】
【技術分野】
【０００１】
本発明は、箱体とその箱体を覆う蓋体とからなる収納容器に関するものである。
【背景技術】
【０００２】
工具や物品を収納する収納容器には種々のものがある。一例として、箱体の開口部に蓋体を着脱自在に嵌め込んだ収納容器が知られている。そして、前記箱体に蓋体を嵌め込むことによって、その箱体に収納した物品を、運搬中に箱体から物品がこぼれ落ちるのを防止したり、箱体に収納した物品に塵や埃が付くのを防止したり、物品を収納した箱体の上に更に別の物品又は収納容器を積み重ねることができるようにしている。
そして、箱体に嵌め込まれた蓋体が容易には開放しない様に、収納箱と蓋体の嵌合部に凹凸を設け嵌合させたり、収納箱と蓋体の縁の一辺をヒンジでつなぎ、他の辺をバックルで固定したり、或いは、輪ゴム等の伸縮性を有する帯を嵌入した箱体と蓋体に巻いて固定する方法などが採られている。
また、箱体の底面と蓋体の天面に各々が嵌まり込む凹凸を設け、上下に積層した収納容器同士を遊嵌させたものもある。これにより、同じ収納容器を積層した状態での運搬や、店頭での陳列時に容易に崩れたりすることを防止している。
【先行技術文献】
【特許文献】
【０００３】
【特許文献１】特開平７−６９３７８号公報
【特許文献２】実用新案登録第３０７５０５０号公報
【発明の概要】
【発明が解決しようとする課題】
【０００４】
主に幼保の使用を前提とした、クレヨンやパス等の描画材の収納容器の場合、描画材を使用する時には、箱体と蓋体が容易に開閉できることが必要であり、一方、描画材を使用しない時にも、箱体と蓋体が確実に嵌入して、容易には開放しない状態にしておくことが必要ある。
ところで、幼保向けの描画材は、構成が簡素でトータルコストを安く抑えることも必要である。そこで、箱体と蓋体が容易に開放しない為の固定方法として、輪ゴムなどの伸縮性を有する帯を、嵌入した箱体と蓋体に巻いて、固定する方法が考えられた。
しかし、収納容器に帯を巻いてしまうと、収納容器の表面に帯の厚さ分の出っ張りが発生し、積層したときの収納容器の安定性が低く、運搬や店頭で陳列時に積層した収納容器が、容易に崩れてしまっていた。
本発明は、このような課題に基づいてなされたものであり、その目的とするところは、収納容器が容易に開放しないように、伸縮性のある帯で固縛しつつ、積層しても容易に崩れることのない収納容器を提供することにある。
【課題を解決するための手段】
【０００５】
本発明は、上記の課題に鑑みてなされたものであって、箱体とその箱体を覆う蓋体とからなる収納容器であって、前記箱体の底部に蓋体に券回する弾性紐を取り付けると共に、その弾性紐が通過する切欠き部を前記箱体の側壁部に形成し、その切り欠き部の深さを弾性紐の太さよりも大きくしたことを要旨とする。
【発明の効果】
【０００６】
本発明は、箱体とその箱体を覆う蓋体とからなる収納容器であって、前記箱体の底部に蓋体に券回する弾性紐を取り付けると共に、その弾性紐が通過する切欠き部を前記箱体の側壁部に形成し、その切り欠き部の深さを弾性紐の太さよりも大きくしたので、積層したときの崩れを防止することができる。
【図面の簡単な説明】
【０００７】
【図１】本発明の上面図。
【図２】図１の側面図。
【図３】図１の右側面図。
【図４】図１の縦断面図。
【図５】図１の横断面図。
【図６】箱体の上面図。
【図７】図６の右側面図。
【図８】図６の弾性紐を除いた要部拡大図。
【図９】弾性紐の斜視図。
【図１０】箱体の縦断面図。
【図１１】収納容器を重合載置した使用説明図。
【図１２】クレヨンの取り出し方の使用説明図。
【図１３】箱体と蓋体の使用説明図。
【発明を実施するための形態】
【０００８】
実施例を図１に示す。箱体１は、ポリプロピレン、ポリスチレン、ポリエステル、ポリエチレン・ポリアセタール、ポリアミド、ポリ塩化ビニル、アクリル樹脂、ＡＳ樹脂、ＡＢＳ樹脂、フェノール樹脂、メラミン樹脂、ユリア樹脂などの合成樹脂を素材とする一体成形品であるが、硬質な紙媒体から構成しても良い。その箱体１の開口部内に広がる底面２には、複数のクレヨン３を個別に収納できる波板形状（波状部４）が形成されている。また、その波状部４の左端近傍中央部と、右端近傍中央部には、貫通孔５が形成されて入る。この貫通孔５は、前記波状部４の底部によりもさらに凹状に形成された凹陥部６に形成されている。また、この貫通孔５は円形部５ａとその円形部５ａと連なる長方形部５ｂとから構成されているが、その長方形部５ｂは凹陥部６の長手方向に対して平行に形成されているのではなく、末広がり（「ハ」の字）に形成されている。そして、これらの貫通孔５には弾性紐７の各端部が係止されている。詳述すると、弾性紐７の各近傍が長方形部５ｂに食い付いた状態で係止している。すなわち、長方形部５ｂの幅は、弾性紐７の幅の半分程度の幅となっている。
さらに、箱体１の側壁部８は、周囲に渡って形成されているが、短辺側の側壁部８ａ中央部には、切り欠き部９が形成されている。その切欠き部９はほぼ三角形状をなしているが、半円弧状であっても良い。この切り欠き部９の深さは、前記使用する弾性紐７の厚さよりも若干大きく形成されており、幅も使用する弾性紐７の幅よりも大きく形成されている。
また、箱体１の長辺側の側壁部８ｂには、外方向に向けて４つの支持部１０が突出した状態で形成されている。その支持部１０の上面と前記蓋体１２の側壁１５下端面との間には、隙間Ｓが形成されるようになっている。すなわち、蓋体１２の天面１４の下面は、箱体１の側壁部８の上端面に接触することによって、蓋体１２の箱体１に対する挿入深さが規制されている。
尚、前記波状部４であるが、その波型の数は、収容されるクレヨン３の数によって決定される。
符号１１は、前記波状部４よりもさらに深く形成された凹状部であり、その凹状部１１は箱体１の長手方向に沿って形成されている。
【０００９】
一方、ポリプロピレン、ポリスチレン、ポリエステル、ポリエチレン・ポリアセタール、ポリアミド、ポリ塩化ビニル、アクリル樹脂、ＡＳ樹脂、ＡＢＳ樹脂、フェノール樹脂、メラミン樹脂、ユリア樹脂などの合成樹脂を素材とする蓋体１２は、前記箱体１が嵌まり込む開口部１３を有している。また、その蓋体１２の天面１４の周縁部には、前記箱体１の底面裏側の周縁部に形成されている凸部８ｂに嵌まり込む凹部１２ａが形成されている。勿論、これら箱体１の凸部８ｂと蓋体１２の凹部１２ａは、複数の収納容器Ａが重合載置（積層）されたときに互いが嵌まり込む。嵌まり込むと言っても、窮屈な状態で嵌合しているのではなく、遊挿された状態にある。つまり、上部に位置する収納容器Ａを手などで摘んで持ち上げれば、下部に位置する収納容器Ａは追従せずに容易に分離することができようになっている。
尚、蓋体１２の側壁１５であって、長手方向の側壁１５のほぼ中央部には半円弧状の切り欠き部１５ａが形成されているが、この切り欠き部１５ａは、指などを掛け、蓋体１２と箱体１とを容易に分離させることができるようになっている。
【００１０】
前記弾性紐７の両端には、アルミニウムやステンレスなど金属製のフック１６が固定されている。具体的は、弾性紐１５をフック１６のほぼ半分の領域で囲み、その囲んだ状態でフック１６をかしめることによって互い固定している。その弾性紐７は、本例においては薄い布が被服されたゴム材質を用いているが、コイルスプリング状のものや伸縮性を有する糸状部材、一般的に使用されている輪ゴムのようなものなど、伸び縮みをする材質であるならば限定はされない。
前記フック１６が前記貫通孔５の円形部５ａの下方から通過して凹陥部６に係合している。すなわち、貫通孔５の円形部５ａの大きさは、弾性紐７の外接円径は勿論、フック１６の外接円径よりも若干大きく形成されている。
また、その凹陥部６の深さは、フック１６の厚さよりも若干深く形成されている。つまり、クレヨン３を波状部４に収納した際に、フック１６に接触しクレヨン３が浮いてしまわないようにしているのである。尚、前述したように、弾性紐７の端部近傍は、長方形部５ｂに食い付いた状態にあり、容易には外れないようになっている。
そして、弾性紐７は、箱体１に蓋体１４が被せられた際、それらをまとめるように巻回される。その際、弾性紐７は箱体１に形成された切り欠き部９を通過し券回される。よって、収納容器Ａを机などの置いた際、弾性紐７の厚みに起因し、収納容器Ａが不安定になることが無い。つまり、安定的に載置することができる。尚、弾性紐７は、ほぼ三角形状の切欠き部９の頂部へと導かれるため、安定した弾性紐の巻回が得られる。すなわち、弾性紐７の移動が極力防止されている。
また、収納容器Ａを重合載置した際にも、弾性紐７が切り欠き部９に入り込むため、安定的に重合載置することができる（図１１参照）。さらに、箱体１に設けた側壁部８ｂが蓋体１２の天面部１４に設けた凹部１２ａに嵌まり込むため、より安定的に複数の収納容器Ａを重合載置することができる。その結果、搬送する際や陳列した際におけるゆれや不用意な外力に起因する収納容器Ａの崩れを防止することができる。
【００１１】
尚、クレヨン３を使用する際には、そのクレヨン３の後部を箱体１の底部に向けて、すなわち、下方に向けて押圧する。その時、クレヨン３の後部は、箱体１の凹状部１１に落ち込む。この落ち込み動作によってクレヨン３の前方部が上昇し、これによって、クレヨン３を容易に箱体１から摘み出すことができる（図１２参照）。
また、前記蓋体１２を逆向きにして、その開口部１３に箱体１を挿着しても良い。その際、箱体１の一方の側壁部８ｂの支持部１０が蓋体１２の側壁部１５の周縁部１５ｂに当接し、箱体１は傾いた状態で挿着される。これにより、より一層、容易にクレヨン３を箱体１から摘み出せる様になる（図１３参照）。
【符号の説明】
【００１２】
１    箱体
２    底面
３    クレヨン
４    波状部
５    貫通孔
６    凹陥部
７       弾性紐
８    側壁部
９    切欠き部
１０  支持部
１１  凹状部
１２  蓋体
１３  開口部
１４  天面
１５  側壁
１６  フック
Ａ    収納容器
【図１】
2016060518.tif 000003
【図２】
2016060518.tif 000004
【図３】
2016060518.tif 000005
【図４】
2016060518.tif 000006
【図５】
2016060518.tif 000007
【図６】
2016060518.tif 000008
【図７】
2016060518.tif 000009
【図８】
2016060518.tif 000010
【図９】
2016060518.tif 000011
【図１０】
2016060518.tif 000012
【図１１】
2016060518.tif 000013
【図１２】
2016060518.tif 000014
【図１３】
2016060518.tif 000015